(57)【要約】【課題】ＲＦＩＤ用紙７のアンテナ１０の配置状態に合わせて、ＲＦＩＤアンテナ１３を任意の部位および姿勢に配置可能とし、データ読取り書込み部２１とＲＦＩＤ用紙７との間の適正なデータ通信を可能としたＲＦＩＤ用紙用プリンターを提供すること。【解決手段】ＲＦＩＤアンテナ１３をアンテナホルダー２２に対して任意の相対方向および相対位置で位置決めして固定可能とすること、より具体的には、ＲＦＩＤアンテナ１３を搭載したアンテナ搭載プレート２５を固定プレート２３、２４に挟み込み、固定プレート２３、２４に対するアンテナ搭載プレート２５の相対位置ないし姿勢を調節可能とすることに着目し、データ読取り書込み部２１におけるＲＦＩＤアンテナ１３をアンテナホルダー２２に対して任意の相対方向および相対位置で位置決めして固定可能とすることを特徴とする。【選択図】図１
2008262344.tif 000002
【特許請求の範囲】
【請求項１】
アンテナおよびＩＣチップを有するＲＦＩＤ用紙を所定の移送路上に移送するとともに、
このＲＦＩＤ用紙に対向するＲＦＩＤアンテナを有して、前記ＩＣチップからのデータの読取りおよび前記ＩＣチップへのデータの書込みを行うデータ読取り書込み部と、
このＲＦＩＤ用紙に所定の情報の印字を行う印字部と、を有するＲＦＩＤ用紙用プリンターであって、
前記データ読取り書込み部は、前記ＲＦＩＤアンテナを取り付けるアンテナホルダーを有するとともに、
前記ＲＦＩＤアンテナをこのアンテナホルダーに対して任意の相対方向および相対位置で位置決めして固定可能とすることを特徴とするＲＦＩＤ用紙用プリンター。
【請求項２】
前記アンテナホルダーは、
前記ＲＦＩＤアンテナを搭載するアンテナ搭載プレートと、
前記移送路に面して配置する第１の固定プレートと、
この第１の固定プレートに対向するとともにこの第１の固定プレートとの間に前記アンテナ搭載プレートを挟み込んで固定可能な第２の固定プレートと、を有することを特徴とする請求項１記載のＲＦＩＤ用紙用プリンター。
【請求項３】
前記ＲＦＩＤアンテナは、その長手方向を前記移送路に沿ってこれを所定の部位に位置決め可能としてあることを特徴とする請求項１記載のＲＦＩＤ用紙用プリンター。
【請求項４】
前記ＲＦＩＤアンテナは、前記ＲＦＩＤ用紙の幅方向における所定の部位に、これを位置決め可能としてあることを特徴とする請求項１記載のＲＦＩＤ用紙用プリンター。
【請求項５】
前記ＲＦＩＤアンテナは、その長手方向を前記移送路の幅方向に沿ってこれを所定の部位に位置決め可能としてあることを特徴とする請求項１記載のＲＦＩＤ用紙用プリンター。
【請求項６】
前記ＲＦＩＤアンテナは、前記ＲＦＩＤ用紙の移送方向における所定の部位に、これを位置決め可能としてあることを特徴とする請求項１記載のＲＦＩＤ用紙用プリンター。
【請求項７】
前記アンテナホルダーは、平板矩形状であって、
その各辺は、前記ＲＦＩＤアンテナの最大長さと同等以上の長さを有することを特徴とする請求項１記載のＲＦＩＤ用紙用プリンター。
【発明の詳細な説明】
【技術分野】
【０００１】
本発明はＲＦＩＤ用紙用プリンターにかかるもので、とくにＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うＲＦＩＤラベルやＲＦＩＤタグ（下げ札）などのＲＦＩＤ用紙に印字を行うためのＲＦＩＤ用紙用プリンターに関するものである。
【背景技術】
【０００２】
従来から、各種のＲＦＩＤ用紙をプリンターに装填してその表面に所定の情報を印字することが行われている。
従来のＲＦＩＤ用紙用のプリンター（たとえばサーマルプリンター１）について、図６および図７にもとづき概説する。
図６は、サーマルプリンター１の要部概略平面図、図７は、同、要部概略側断面図であって、サーマルプリンター１は、ＲＦＩＤ用紙連続体２の移送路３と、データ読取り書込み部４と、印字部５と、を有する。
【０００３】
ＲＦＩＤ用紙連続体２は、帯状の台紙６と、台紙６上に等間隔に仮着した複数枚のＲＦＩＤラベル７（ＲＦＩＤ用紙）と、を有する。
ＲＦＩＤラベル７は、台紙６に仮着可能なラベル本体８と、ラベル本体８の裏面に形成したＲＦＩＤインレット９と、を有し、所定の供給部（図示せず）から台紙６とともに移送路３上にこれを移送する。
【０００４】
ＲＦＩＤインレット９は、アンテナ１０およびＩＣチップ１１を有し、ＲＦＩＤ員レット９は、データ読取り書込み部４（ＲＦＩＤアンテナ１３、後述）からの電波の発信を受けて、ＩＣチップ１１からのデータの読取りおよびＩＣチップ１１へのデータの書込みが可能である。
通信用の電波としては、その周波数がたとえば３ＭＨｚ〜３０ＭＨｚ（好ましくは、１３．５６ＭＨｚ）の短波（ＨＦ）、あるいは３００ＭＨｚ〜３ＧＨｚ（好ましくは８６０〜９６０ＭＨｚ、さらに具体的には９５０〜９５６ＭＨｚ）の極超短波（ＵＨＦ）などを用いることができる。
ただし、それぞれの使用電波に応じてアンテナ１０の形状やＩＣチップ１１の具体的構成を適正なものとしている。
【０００５】
データ読取り書込み部４は、ＲＦＩＤラベル７との間で無線による非接触のデータ伝送を行うもので、制御部１２およびＲＦＩＤアンテナ１３を有し、当該データの読取りおよび書込みを無線により非接触で双方向に行うことができる。
【０００６】
印字部５は、サーマルヘッド１４（印字ヘッド）と、プラテンローラー１５と、プラテンホルダー１６と、を有し、ＲＦＩＤ用紙連続体２のＲＦＩＤラベル７の表面上に所定の情報を印字する。この印字する情報としては、ＲＦＩＤラベル７の管理情報やその他必要な表示情報、あるいはＩＣチップ１１内のデータに対応した情報など、任意の情報である。
図７に示すように、プラテンホルダー１６は、その内部にアンテナホルダー１７を有し、このアンテナホルダー１７に上記データ読取り書込み部４のＲＦＩＤアンテナ１３を取り付けて、所定の姿勢に固定している。
【０００７】
こうした構成のサーマルプリンター１において、データ読取り書込み部４におけるＲＦＩＤアンテナ１３から、ＲＦＩＤラベル７内のアンテナ１０を介してＩＣチップ１１からデータを読み取り、あるいはＩＣチップ１１に必要なデータを書き込むことができるとともに、これらのデータに対応する所定のバーコード情報などを印字部５においてＲＦＩＤラベル７の表面に印字可能である。
【０００８】
しかしながら、とくに図６に示すように、従来のサーマルプリンター１においては、ＲＦＩＤラベル７におけるＲＦＩＤインレット９がＲＦＩＤラベル７の幅方向に配置されている構成に合わせて、プラテンローラー１５に平行な状態で移送路３上にＲＦＩＤアンテナ１３を配置する場合が殆どである。あるいは逆に、ＲＦＩＤラベル７に備えるＲＦＩＤインレット９は、プラテンローラー１５に平行なこのＲＦＩＤアンテナ１３に合わせて同一方向に配置されることが多い。
しかして、ＲＦＩＤアンテナ１３から発信される、たとえばＵＨＦ帯の電波とデータ交信するＲＦＩＤインレット９のアンテナ１０は、比較的細長い形状に形成する必要があり、移送路３の幅以上に長いアンテナ１０を有するＲＦＩＤラベル７の場合には、ＲＦＩＤラベル７の移送方向にこのアンテナ１０の長手方向を配置する必要があり、したがって、ＲＦＩＤアンテナ１３を移送路３の幅方向に位置させたままでは、このＲＦＩＤラベル７との間のデータ通信が困難であるという問題がある。
すなわち、この移送路３の幅以上に長いアンテナ１０を有するＲＦＩＤラベル７について、移送路３の移送方向に沿ってアンテナ１０（ＲＦＩＤインレット９）を配置したＲＦＩＤラベル７とすると、サーマルプリンター１の移送路３上で幅方向に設けたＲＦＩＤアンテナ１３とＲＦＩＤインレット９（アンテナ１０）とが直交することになり、ＲＦＩＤラベル７とＲＦＩＤアンテナ１３との間の交信性能が低下し、データ通信が困難になるという問題がある。
要するに、従来のＲＦＩＤ用紙用のプリンター（サーマルプリンター１）では、ＲＦＩＤラベル７におけるアンテナ１０の配置方向や位置に適切に対応して、データ読取り書込み部４におけるＲＦＩＤアンテナ１３を融通性を持って配置することが困難であるという問題がある。
【０００９】
もちろん、ＲＦＩＤインレット９のアンテナ１０とデータ読取り書込み部４のＲＦＩＤアンテナ１３とが同一方向ないし同一面内に重なり合うように位置しなければ、任意の周波数の電波においても同様の問題が生ずる可能性がある。
【００１０】
【特許文献１】特開２００６−１８４５６号公報
【発明の開示】
【発明が解決しようとする課題】
【００１１】
本発明は以上のような諸問題にかんがみなされたもので、データ読取り書込み部とＲＦＩＤラベルなどのＲＦＩＤ用紙との間のデータ通信が適正に行われるようにしたＲＦＩＤ用紙用プリンターを提供することを課題とする。
【００１２】
また本発明は、データ読取り書込み部のＲＦＩＤアンテナを融通性を持ってその位置および姿勢を調節可能としたＲＦＩＤ用紙用プリンターを提供することを課題とする。
【００１３】
また本発明は、ＲＦＩＤ用紙におけるアンテナの姿勢ないし配置状態に応じてデータ読取り書込み部のＲＦＩＤアンテナを適正に配置可能なＲＦＩＤ用紙用プリンターを提供することを課題とする。
【００１４】
また本発明は、ＲＦＩＤ用紙のアンテナの配置状態に合わせて、ＲＦＩＤアンテナを移送路において任意の部位および姿勢に配置可能なＲＦＩＤ用紙用プリンターを提供することを課題とする。
【課題を解決するための手段】
【００１５】
すなわち本発明は、ＲＦＩＤアンテナをアンテナホルダーに対して任意の相対方向および相対位置で位置決めして固定可能とすること、より具体的には、データ読取り書込み部のＲＦＩＤアンテナをアンテナ搭載プレートにより搭載しておくこと、このアンテナ搭載プレートを一対の固定プレートにより挟み込んで固定可能とすること、およびこの一対の固定プレートに対するアンテナ搭載プレートの相対位置関係ないし姿勢を調節可能とすることに着目したもので、アンテナおよびＩＣチップを有するＲＦＩＤ用紙を所定の移送路上に移送するとともに、このＲＦＩＤ用紙に対向するＲＦＩＤアンテナを有して、上記ＩＣチップからのデータの読取りおよび上記ＩＣチップへのデータの書込みを行うデータ読取り書込み部と、このＲＦＩＤ用紙に所定の情報の印字を行う印字部と、を有するＲＦＩＤ用紙用プリンターであって、上記データ読取り書込み部は、上記ＲＦＩＤアンテナを取り付けるアンテナホルダーを有するとともに、上記ＲＦＩＤアンテナをこのアンテナホルダーに対して任意の相対方向および相対位置で位置決めして固定可能とすることを特徴とするＲＦＩＤ用紙用プリンターである。
【００１６】
上記アンテナホルダーは、上記ＲＦＩＤアンテナを搭載するアンテナ搭載プレートと、上記移送路に面して配置する第１の固定プレートと、この第１の固定プレートに対向するとともにこの第１の固定プレートとの間に上記アンテナ搭載プレートを挟み込んで固定可能な第２の固定プレートと、を有することができる。
【００１７】
上記ＲＦＩＤアンテナは、その長手方向を上記移送路に沿ってこれを所定の部位に位置決め可能としてあることができる。
【００１８】
上記ＲＦＩＤアンテナは、上記ＲＦＩＤ用紙の幅方向における所定の部位に、これを位置決め可能としてあることができる。
【００１９】
上記ＲＦＩＤアンテナは、その長手方向を上記移送路の幅方向に沿ってこれを所定の部位に位置決め可能としてあることができる。
【００２０】
上記ＲＦＩＤアンテナは、上記ＲＦＩＤ用紙の移送方向における所定の部位に、これを位置決め可能としてあることができる。
【００２１】
上記アンテナホルダーは、平板矩形状であって、その各辺は、上記ＲＦＩＤアンテナの最大長さと同等以上の長さを有することができる。
【００２２】
上記アンテナホルダーにおけるＲＦＩＤアンテナの相対方向および相対位置については、上記ＲＦＩＤ用紙の幅方向に沿う方向や移送方向に沿う方向以外にも、これらの方向に傾斜した状態であってもよい。
【発明の効果】
【００２３】
本発明によるＲＦＩＤ用紙用プリンターにおいては、ＲＦＩＤアンテナをアンテナホルダーに対して任意の相対方向および相対位置で位置決めして固定可能としているので、ＲＦＩＤ用紙の移送路上において、そのアンテナを移送方向に沿った構成、あるいは幅方向に沿った構成その他任意の構成にそれぞれ取り付け、ＲＦＩＤ用紙のアンテナの方向に合わせてＲＦＩＤアンテナを配置可能であって、ＲＦＩＤ用紙のアンテナの形状ないし大きさに左右されることなく、適正かつ確実なデータ通信を可能とする。
もちろん、アンテナホルダーに対してＲＦＩＤアンテナをＲＦＩＤ用紙の移送方向あるいは幅方向に移動して位置決めすることにより、これらの方向においても位置調節が可能である。
【発明を実施するための最良の形態】
【００２４】
本発明は、ＲＦＩＤアンテナをアンテナホルダーに対して任意の相対方向および相対位置で位置決めして固定可能としているので、任意の大きさないし形状のアンテナを任意の取付け位置に有するＲＦＩＤ用紙を装填しても、ＲＦＩＤ用紙の移送方向に対して平行にあるいは垂直にＲＦＩＤアンテナを配置可能であり、かつ、平行配置の場合にはＲＦＩＤ用紙の幅方向に移動調節可能、垂直配置の場合には移送方向に移動調節可能であって、ＲＦＩＤ用紙とデータ読取り書込み部との間の適正なデータ通信を可能とするＲＦＩＤ用紙用プリンターを実現した。
【実施例】
【００２５】
つぎに本発明の実施例によるＲＦＩＤ用紙用プリンター２０を図１ないし図５にもとづき説明する。ただし、図６および図７と同様の部分には同一符号を付し、その詳述はこれを省略する。
図１は、ＲＦＩＤ用紙用プリンター２０の要部概略平面図、図２は、同、要部概略側断面図であって、ＲＦＩＤ用紙用プリンター２０は、従来のサーマルプリンター１（図６）と同様に、前記ＲＦＩＤ用紙連続体２の前記移送路３と、前記データ読取り書込み部４に相当するデータ読取り書込み部２１と、前記印字部５と、を有する。
【００２６】
データ読取り書込み部２１は、前記制御部１２および前記ＲＦＩＤアンテナ１３を有するとともに、さらに、アンテナホルダー２２を有する。
アンテナホルダー２２は、前記プラテンホルダー１６内に位置しており、第１の固定プレート２３と、第２の固定プレート２４と、アンテナ搭載プレート２５と、を有する。
【００２７】
図３は、第１の固定プレート２３、第２の固定プレート２４およびアンテナ搭載プレート２５の部分の縦断面図、図４は、第１の固定プレート２３、第２の固定プレート２４およびアンテナ搭載プレート２５の部分の平面図である。
第１の固定プレート２３は、移送路３に面してこれを配置する。
第２の固定プレート２４は、第１の固定プレート２３に上層側から対向するとともに、第１の固定プレート２３との間にアンテナ搭載プレート２５を任意の相対方向および相対位置に挟み込んで固定可能である。
アンテナ搭載プレート２５は、ＲＦＩＤアンテナ１３を搭載する。
このアンテナ搭載プレート２５を第１の固定プレート２３および第２の固定プレート２４に対して任意の相対方向および相対位置で位置決めして固定可能とする。
【００２８】
なお、第１の固定プレート２３および第２の固定プレート２４は、任意の形状のプレート部材を採用可能であるが、たとえば正方形状ないし矩形状であって、アンテナ搭載プレート２５ないしＲＦＩＤアンテナ１３の長さ分の一辺を有するものであればよく、また、別部材として準備することもできるし、一体的な部材として形成してもよい。さらに、アンテナホルダー２２として平板矩形状の場合に、その各辺がＲＦＩＤアンテナ１３の最大長さと同等以上の長さを有すれば、任意の方向および位置にＲＦＩＤアンテナ１３を配置することができる。
第１の固定プレート２３および第２の固定プレート２４は、いずれにしても、アンテナ搭載プレート２５を相対的に回転および移動可能として位置決めし、任意の方向および位置に任意の固定部材（図示せず）により固定可能であればよい。
また、アンテナホルダー２２の取付け部位としても、上記プラテンホルダー１６内以外にも移送路３に面した任意の部位を採用可能である。
【００２９】
図３および図４を参照して、より具体的に説明すると、ＲＦＩＤインレット９のアンテナ１０がＲＦＩＤラベル７の移送方向に沿って配置されている場合には（図１）、このアンテナ１０と適正にデータ通信可能に重ね合わせることができるように、ＲＦＩＤアンテナ１３は、その長手方向を移送路３に沿ってこれを所定の部位に位置決め可能としてある。
さらに、アンテナ搭載プレート２５のいずれかの一端部２５Ａ（図４）を第１の固定プレート２３および第２の固定プレート２４から突出させて、アンテナ搭載プレート２５をＲＦＩＤラベル７の幅方向における所定の部位に位置決め可能としてある。
【００３０】
こうした構成のＲＦＩＤ用紙用プリンター２０およびデータ読取り書込み部２１において、とくに図１および図４に示すように、ＲＦＩＤラベル７の幅より長いアンテナ１０を備えたＲＦＩＤインレット９を有するＲＦＩＤラベル７の場合には、このＲＦＩＤラベル７のアンテナ１０に沿ってデータ読取り書込み部４のＲＦＩＤアンテナ１３を合わせるように、アンテナ搭載プレート２５を第１の固定プレート２３および第２の固定プレート２４の間に配置するとともに、その幅方向の位置を移送方向の左側あるいは右側などアンテナ１０に重ね合わせることができるようにする。
かくして、比較的長いアンテナ１０を有するＲＦＩＤラベル７であっても、ＲＦＩＤアンテナ１３の姿勢（相対方向）および位置（相対位置）を調節可能であり、ＲＦＩＤインレット９とデータ読取り書込み部２１（ＲＦＩＤアンテナ１３）との間で有効かつ適正にデータ通信が可能である。
【００３１】
図５は、図４と同様の、第１の固定プレート２３、第２の固定プレート２４およびアンテナ搭載プレート２５の部分の平面図であって、ＲＦＩＤラベル７のアンテナ１０がＲＦＩＤラベル７の幅方向に平行に設けられている場合に、ＲＦＩＤアンテナ１３を配置する方向について示している。
図示のように、ＲＦＩＤアンテナ１３は、その長手方向を移送路３の幅方向に沿ってこれを所定の部位に位置決め可能としてある。
すなわち、ＲＦＩＤアンテナ１３の長手方向が移送路３の幅方向に沿うようにアンテナ搭載プレート２５を配置するとともに、ＲＦＩＤラベル７の移送方向における上流側あるいは下流側など所定の部位に位置決め可能とすることにより、ＲＦＩＤアンテナ１３の上方部に移送されてくるＲＦＩＤラベル７のアンテナ１０の位置に合わせてＲＦＩＤアンテナ１３の移送方向の位置を調節することができる。
【００３２】
かくして、アンテナ搭載プレート２５にＲＦＩＤアンテナ１３を搭載させるとともに、第１の固定プレート２３と第２の固定プレート２４との間にアンテナ搭載プレート２５を任意の位置および姿勢で所定部位に配置して固定することができ、ＲＦＩＤアンテナ１３の位置をＲＦＩＤラベル７におけるアンテナ１０の大きさや形状に合わせて適正に位置決め調節し、データ読取り書込み部２１とＲＦＩＤラベル７との間のデータ通信を確実に行うことができる。
【図面の簡単な説明】
【００３３】
【図１】本発明の実施例によるＲＦＩＤ用紙用プリンター２０の要部概略平面図である。
【図２】同、要部概略側断面図である。
【図３】同、第１の固定プレート２３、第２の固定プレート２４およびアンテナ搭載プレート２５の部分の縦断面図である。
【図４】同、第１の固定プレート２３、第２の固定プレート２４およびアンテナ搭載プレート２５の部分の平面図である。
【図５】同、第１の固定プレート２３、第２の固定プレート２４およびアンテナ搭載プレート２５の部分の平面図である。
【図６】従来のＲＦＩＤ用紙用のプリンター（たとえばサーマルプリンター１）の要部概略平面図である。
【図７】同、要部概略側断面図である。
【符号の説明】
【００３４】
１  サーマルプリンター（従来のＲＦＩＤ用紙用プリンター、図６）
２  ＲＦＩＤ用紙連続体
３  移送路
４  データ読取り書込み部
５  印字部
６  台紙
７  ＲＦＩＤラベル（ＲＦＩＤ用紙）
８  ラベル本体
９  ＲＦＩＤインレット
１０  アンテナ
１１  ＩＣチップ
１２  制御部
１３  ＲＦＩＤアンテナ
１４  サーマルヘッド
１５  プラテンローラー
１６  プラテンホルダー
１７  アンテナホルダー
２０  ＲＦＩＤ用紙用プリンター（サーマルプリンター、実施例、図１）
２１  データ読取り書込み部
２２  アンテナホルダー
２３  第１の固定プレート
２４  第２の固定プレート
２５  アンテナ搭載プレート
２５Ａ  アンテナ搭載プレート２５の一端部
【図１】
2008262344.tif 000003
【図２】
2008262344.tif 000004
【図３】
2008262344.tif 000005
【図４】
2008262344.tif 000006
【図５】
2008262344.tif 000007
【図６】
2008262344.tif 000008
【図７】
2008262344.tif 000009
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
アンテナおよびＩＣチップを有するＲＦＩＤ用紙を所定の移送路上に移送するとともに、このＲＦＩＤ用紙に対向するＲＦＩＤアンテナを有して、前記ＩＣチップからのデータの読取りおよび前記ＩＣチップへのデータの書込みを行うデータ読取り書込み部と、このＲＦＩＤ用紙に所定の情報の印字を行う印字部と、を有するＲＦＩＤ用紙用プリンターであって、前記データ読取り書込み部は、前記ＲＦＩＤアンテナを取り付けるアンテナホルダーを有するとともに、前記ＲＦＩＤアンテナをこのアンテナホルダーに対して回転および移動可能として任意の相対方向および相対位置で位置決めして固定可能とすることを特徴とするＲＦＩＤ用紙用プリンター。
【請求項２】
前記アンテナホルダーは、
前記ＲＦＩＤアンテナを搭載するアンテナ搭載プレートと、
前記移送路に面して配置する第１の固定プレートと、
この第１の固定プレートに対向するとともにこの第１の固定プレートとの間に前記アンテナ搭載プレートを挟み込んで固定可能な第２の固定プレートと、を有することを特徴とする請求項１記載のＲＦＩＤ用紙用プリンター。
【請求項３】
前記ＲＦＩＤアンテナの長手方向がＲＦＩＤ用紙の移送方向に対して平行あるいは垂直に配置可能であり、かつ、平行配置の場合にはＲＦＩＤ用紙の幅方向に前記ＲＦＩＤアンテナを移動調節可能とし、垂直配置の場合には移送方向に移動調節可能としてあることを特徴とする請求項１または２記載のＲＦＩＤ用紙用プリンター。
【請求項４】
前記アンテナホルダーは、平板矩形状であって、
その各辺は、前記ＲＦＩＤアンテナの最大長さと同等以上の長さを有することを特徴とする請求項１ないし３のいずれかに記載のＲＦＩＤ用紙用プリンター。
【請求項５】
前記ＲＦＩＤアンテナによる通信用電波はＵＨＦ帯であることを特徴とする請求項１ないし４のいずれかに記載のＲＦＩＤ用紙用プリンター。
【請求項６】
前記ＲＦＩＤアンテナは、前記ＲＦＩＤ用紙の幅方向や前記移送方向に対して傾斜した状態に移動調節可能としてあることを特徴とする請求項１ないし５のいずれかに記載のＲＦＩＤ用紙用プリンター。
【手続補正２】
【補正対象書類名】明細書
【補正対象項目名】００１５
【補正方法】変更
【補正の内容】
【００１５】
すなわち本発明は、ＲＦＩＤアンテナをアンテナホルダーに対して任意の相対方向および相対位置で位置決めして固定可能とすること、より具体的には、データ読取り書込み部のＲＦＩＤアンテナをアンテナ搭載プレートにより搭載しておくこと、このアンテナ搭載プレートを一対の固定プレートにより挟み込んで固定可能とすること、およびこの一対の固定プレートに対するアンテナ搭載プレートの相対位置関係ないし姿勢を調節可能とすることに着目したもので、アンテナおよびＩＣチップを有するＲＦＩＤ用紙を所定の移送路上に移送するとともに、このＲＦＩＤ用紙に対向するＲＦＩＤアンテナを有して、上記ＩＣチップからのデータの読取りおよび上記ＩＣチップへのデータの書込みを行うデータ読取り書込み部と、このＲＦＩＤ用紙に所定の情報の印字を行う印字部と、を有するＲＦＩＤ用紙用プリンターであって、上記データ読取り書込み部は、上記ＲＦＩＤアンテナを取り付けるアンテナホルダーを有するとともに、上記ＲＦＩＤアンテナをこのアンテナホルダーに対して回転および移動可能として任意の相対方向および相対位置で位置決めして固定可能とすることを特徴とするＲＦＩＤ用紙用プリンターである。
【手続補正３】
【補正対象書類名】明細書
【補正対象項目名】００１７
【補正方法】変更
【補正の内容】
【００１７】
上記ＲＦＩＤアンテナの長手方向がＲＦＩＤ用紙の移送方向に対して平行あるいは垂直に配置可能であり、かつ、平行配置の場合にはＲＦＩＤ用紙の幅方向に前記ＲＦＩＤアンテナを移動調節可能とし、垂直配置の場合には移送方向に移動調節可能としてある。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
上記ＲＦＩＤアンテナによる通信用電波はＵＨＦ帯であることを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２３
【補正方法】変更
【補正の内容】
【００２３】
本発明によるＲＦＩＤ用紙用プリンターにおいては、ＲＦＩＤアンテナをアンテナホルダーに対して回転および移動可能として任意の相対方向および相対位置で位置決めして固定可能としているので、ＲＦＩＤ用紙の移送路上において、そのアンテナを移送方向に沿った構成、あるいは幅方向に沿った構成その他任意の構成にそれぞれ取り付け、ＲＦＩＤ用紙のアンテナの方向に合わせてＲＦＩＤアンテナを配置可能であって、ＲＦＩＤ用紙のアンテナの形状ないし大きさに左右されることなく、適正かつ確実なデータ通信を可能とする。
もちろん、アンテナホルダーに対してＲＦＩＤアンテナをＲＦＩＤ用紙の移送方向あるいは幅方向に移動して位置決めすることにより、これらの方向においても位置調節が可能である。